(57)【要約】【課題】例えば、地図等の連続した画像を有する原稿を印刷用紙等の記録用シートの両面に出力して、見開きで見た場合に、見開きページ間での画像位置ずれを抑えることを可能とした画像形成装置を提供する。【解決手段】画像情報に応じて印刷用紙の表裏面に画像を形成することが可能な画像形成装置において、見開きモードである場合は（ステップＳ３００）、前記画像情報を前記印刷用紙１枚毎に、その表面と裏面とで入れ替える（ステップＳ３０７）。【選択図】      図３
2004215188.tif 000002
【特許請求の範囲】
【請求項１】
画像情報に応じて記録用シートの面に画像を形成する画像形成手段と、前記記録用シートを反転させる反転手段とを具備し、前記反転手段により反転された前記記録用シートの裏面にも画像を形成することが可能な画像形成装置において、
前記画像情報を前記記録用シート１枚毎に、その表面と裏面とで入れ替える入れ替え手段を設けたことを特徴とする画像形成装置。
【発明の詳細な説明】
【０００１】
【発明の属する技術分野】
本発明は、例えば、記録用紙等の記録用シートの表裏両面に印刷を行う両面印刷可能な印刷装置、複写機、レーザビームプリンタ及びファクシミリ等の画像形成装置に関する。
【０００２】
【従来の技術】
従来、画像情報に応じて記録用シートの面に画像を形成する画像形成手段と、前記記録用シートを反転させる反転手段とを具備し、前記反転手段により反転された前記記録用シートの裏面にも画像を形成することが可能な画像形成装置は公知である（例えば、特許文献１参照）。
【０００３】
【特許文献１】
特開平１２−８６０１７号公報
【０００４】
【発明が解決しようとする課題】
上述したような従来の画像形成装置により、地図等の連続した画像を有する原稿を印刷用紙（記録用シート）の両面に出力して、見開きで見た場合、一方は印刷用紙の表面に、他方は印刷用紙の裏面に出力されることになる。
【０００５】
ところで、印刷用紙の表面と裏面とでは、以下の理由により絶対位置が異なる。
【０００６】
▲１▼画像書き出し基準位置が表面（印刷用紙先端）と裏面（印刷用紙後端）とで異なる。
【０００７】
▲２▼裏面画像形成時には、表面画像形成のため、既に一度高温で定着されており、高温により印刷用紙が縮む。この縮み量は、印刷用紙の材質、印刷用紙の含水率、環境温度及び湿度等により異なる。
【０００８】
▲３▼裏面画像形成時に印刷用紙を反転させる際のずれにより異なる。
【０００９】
そのため、図６（ａ）に示すように、例えば、地図等の連続した画像を有する原稿を、図６（ｂ）に示すように、一方は印刷用紙の表面に画像形成し、他方は印刷用紙の裏面に画像形成して、図６（ｃ）に示すように排出された印刷用紙を、図６（ｄ）に示すように、１枚目と２枚目、２枚目と３枚目、３枚目と４枚目、…  というように順次綴じて製本した後、見開きで見た場合、見開きページ間での画像位置ずれが生じて、画像の接続部が合わずに不連続な画像になるという問題点があった。
【００１０】
本発明は、上述したような従来技術の有する問題点を解消するためになされたもので、その目的は、例えば、地図等の連続した画像を有する原稿を印刷用紙等の記録用シートの両面に出力して、見開きで見た場合に、見開きページ間での画像位置ずれを抑えることを可能とした画像形成装置を提供することである。
【００１１】
【課題を解決するための手段】
上記目的を達成するために本発明の画像形成装置は、画像情報に応じて記録用シートの面に画像を形成する画像形成手段と、前記記録用シートを反転させる反転手段とを具備し、前記反転手段により反転された前記記録用シートの裏面にも画像を形成することが可能な画像形成装置において、前記画像情報を前記記録用シート１枚毎に、その表面と裏面とで入れ替える入れ替え手段を設けたことを特徴とする。
【００１２】
【発明の実施の形態】
以下、本発明の各実施の形態を、図面に基づき説明する。
【００１３】
（第１の実施の形態）
まず、本発明の第１の実施の形態を、図１乃至図３に基づき説明する。
【００１４】
ここでは、フルカラーの複写機とプリンタとを兼ねるように構成された画像形成装置である印刷装置、これを制御するコントローラ、及びホストコンピュータとから成る画像形成システムである印刷システムについて説明する。
【００１５】
図１は、本実施の形態に係る印刷装置を有する印刷システムの外観構成を示す図であり、同図において、１０１はホストコンピュータ、１０２はコントローラ、１０３は印刷装置（画像形成装置）であり、原稿台上に載置された原稿の画像をカラーで複写すると共に、コントローラ１０２を経てホストコンピュータ１０１より送られて来る画像データに対応したカラー画像を印刷用紙（記録用シート）の面に印刷出力する。
【００１６】
ここで、ホストコンピュータ１０１上では、所謂ＤＴＰ（Ｄｅｓｋ  Ｔｏｐ  Ｐｕｂｌｉｓｈｉｎｇ）のアプリケーションソフトウェアを動作させ、文字の他に図形を含む各種文書が作成／編集される。ホストコンピュータ１０１は、作成された文書をＰＤＬ（Ｐａｇｅ  Ｄｉｓｃｒｉｐｔｉｏｎ  Ｌａｎｇｕａｇｅ＝ページ記述言語、例えば、Ａｄｏｂｅ社のＰｏｓｔ  Ｓｃｒｉｐｔ）等の印刷データに変換し、この印刷データを、接続ケーブル１０４を通じてコントローラ１０２へ送る。
【００１７】
コントローラ１０２は、ホストコンピュータ１０１から送られた印刷データのＰＤＬを翻訳し、ビットマップの画像データへの展開、所謂ラスター化を行う。ラスター化により得られた画像データによる画像信号は、接続ケーブル１０５を通じて印刷装置１０３へ送られ、この印刷装置１０３により画像信号に応じた画像が印刷用紙の面に印刷出力される。
【００１８】
次に、印刷装置１０３について、図２を用いて説明する。
【００１９】
図２は、印刷装置１０３の内部構成を示す側面図であり、この印刷装置１０３は、複写機能を有するものである。
【００２０】
図２において、２０１は原稿台ガラスであり、その上に読み取られるべき原稿２０２が載置セットされる。原稿２０２は、照明ランプ２０３により照明され、ミラー２０４，２０５，２０６と光学系２０７を介して、原稿２０２の画像がＣＣＤ（撮像素子）２０８上に結像される。更に、モータ２０９により、ミラー２０４及び照明ランプ２０３を含む第１ミラーユニット２１０が速度Ｖで機械的に駆動され、ミラー２０５，２０６を含む第２ミラーユニット２１１が速度１／２Ｖで駆動されることにより、原稿２０２の全面が走査される。
【００２１】
２１２は画像処理回路部であり、ＣＣＤ２０８により読み取られた原稿２０２の画像情報を電気信号として処理し、不図示の画像メモリ上に一旦保持し、画像信号（プリント信号）として出力する。画像処理回路部２１２より出力された画像信号は、不図示のレーザドライバに送られ、不図示の４つの半導体レーザを駆動する。２１３は回転駆動されるポリゴンミラーであり、前記４つの半導体レーザより発光された４本のレーザ光を受け、それぞれを振るように反射する。４本のレーザ光の内の１本は、ミラー２１４，２１５，２１６を経て感光ドラム（感光体）２１７を走査し、次の１本は、ミラー２１８，２１９，２２０を経て感光ドラム２２１を走査し、次の１本は、ミラー２２２，２２３，２２４を経て感光ドラム２２５を走査し、次の１本は、ミラー２２６，２２７，２２８を経て感光ドラム２２９を走査する。これらの走査により、各感光ドラム２１７，２２１，２２５，２２９に、原稿２０２の画像に対応した静電潜像が形成される。
【００２２】
２３０はイエロー（Ｙ）のトナーを供給する現像器であり、感光ドラム２１７上に静電潜像に応じたイエローのトナー像を形成する。２３１はマゼンタ（Ｍ）のトナーを供給する現像器であり、感光ドラム２２１上に静電潜像に応じたマゼンタのトナー像を形成する。２３２はシアン（Ｃ）のトナーを供給する現像器であり、感光ドラム２２５上に静電潜像に応じたシアンのトナー像を形成する。２３３はブラック（Ｂｋ）のトナーを供給する現像器であり、感光ドラム２２９上に静電潜像に応じたブラックのトナー像を形成する。
【００２３】
以上のように形成された４色（Ｙ，Ｍ，Ｃ，Ｂｋ）のトナー像が印刷用紙の面に転写され、フルカラーの出力画像を得ることができる。
【００２４】
印刷用紙は、印刷用紙カセット２３４，２３５及び手差しトレイ２３６のいずれかから供給され、レジストローラ２３７を経て、転写ベルト２３８上に吸着され、搬送される。印刷用紙の供給のタイミングと同期が採られて、予め感光ドラム２１７，２２１，２２５，２２９には、各色のトナー像が現像されており、印刷用紙の搬送と共に、トナー像が印刷用紙の面に転写される。
【００２５】
印刷用紙の表裏両面に印刷する場合には、前記のようにして印刷用紙の表面に４色のトナー像が転写され、定着器２４０によって定着された後、印刷用紙が排出偏向板２４８により排出縦パス２４６を通過して両面反転部２４５へ搬送される。そして、印刷用紙が通過して規定時間後、両面反転部２４５の入口ローラが逆回転し、印刷用紙は反転して中間トレイ前搬送部２４７へ搬送され、更に、中間トレイ２４４上へ搬送される。このとき、中間トレイ２４４上の印刷用紙の上側が表面となっている。最終印刷用紙が中間トレイ２４４に搬送されると中間トレイ２４４からレジストローラ２３７及び転写ベルト２３８を介して印刷用紙を再び感光ドラム２１７，２２１，２２５，２２９へ供給する。このとき、印刷用紙の裏面が上側になっており、その裏面に各感光ドラム２１７，２２１，２２５，２２９から前記４色のトナー像が転写され、そのトナー像が定着器２４０で定着された後、印刷用紙が排出トレイ２４１上に排出される。
【００２６】
次に、本実施の形態に係る印刷装置１０３の動作を、図３のフローチャートに基づき説明する。
【００２７】
まず、ステップＳ３００で見開き（地図）モードであるか否かを判断する。
そして、見開きモード信号がイネーブルの場合は、即ち、見開きモードであると判断された場合は、ステップＳ３０７へ進んで図４（ａ）に示すような原稿（地図）を元に、図４（ｂ）に示すように、印刷用紙１枚毎に画像データを表裏で反転させて画像形成を行った後、ステップＳ３０１へ進む。また、前記ステップＳ３００において、見開きモード信号がディスイネーブルの場合は、即ち、見開きモードでないと判断された場合は、ステップＳ３０１へ進む。ステップＳ３０１では、通常のページ順に画像形成を行う。
【００２８】
次に、ステップ３０２で印刷用紙の裏面に画像形成をするか否かを判断する。そして、印刷用紙の裏面に画像形成をすると判断された場合は、ステップＳ３０８へ進んで内部反転装置で印刷用紙を反転させる。即ち、印刷用紙は、排紙偏向板２４８により排紙縦パス２４６を通過して両面反転部２４５へ搬送される。そして、印刷用紙が排紙縦パス２４６を通過して規定時間後、両面反転部２４５の入口ローラが逆回転し、印刷用紙は反転して中間トレイ前搬送部２４７へ搬送され、更に中間トレイ２４４上へ搬送される。このとき、中間トレイ２４４上の印刷用紙は上側が裏面となっている。最終の印刷用紙が中間トレイ２４４に搬送されると中間トレイ２４４からレジストローラ２３７、転写ベルト２３８を介して印刷用紙を再び感光ドラム２１７，２２１，２２５，２２９に供給する。このとき印刷用紙の表面が上側になっている。前記ステップＳ３０８の処理が終了後は、前記ステップＳ３００へ戻る。
【００２９】
一方、前記ステップＳ３０２において、印刷用紙の裏面に画像を形成しないと判断された場合は、ステップＳ３０３へ進んで見開き（地図）モードで画像形成された印刷用紙か否かを判断する。そして、見開き（地図）モードで画像形成された印刷用紙であると判断された場合は、ステップＳ３０９へ進んで内部反転装置で印刷用紙を図４（ｃ）に示すように１枚毎に表裏反転させた後、ステップＳ３０４へ進んで装置外部へ排紙する。一方、前記ステップＳ３０３において、見開き（地図）モードで画像形成された印刷用紙でないと判断された場合は、印刷用紙を表裏反転させることなく、そのままステップＳ３０４へ進んで装置外部へ排紙する。
【００３０】
次に、ステップＳ３０５へ進んで印刷用紙の排紙枚数が所定値Ｎになったか否かを判断する。そして、印刷用紙の排紙枚数が所定値Ｎにならないと判断された場合は、前記ステップＳ３００へ戻り、また、印刷用紙の排紙枚数が所定値Ｎになったと判断された場合は、ステップＳ３０６へ進む。ステップＳ３０６では、装置外部へ排紙された印刷用紙は、不図示の外部製本装置により、穴あけ、ステイプル、糊付け等で製本された後、本処理動作を終了する。
【００３１】
前記ステップＳ３０６において製本された後の見開きでは、図４（ｄ）に示すように、印刷用紙の表面と裏面または裏面と裏面が見開きで向き合う。即ち、見開きでは、同じ画像形成条件（印刷用紙の表と表、裏と裏）で画像形成したページが向き合うことで、見開きページ相互間での相対的ズレ量を抑制することができる。
【００３２】
（第２の実施の形態）
次に、本発明の第２の実施の形態を、図５に基づき説明する。
【００３３】
尚、本実施の形態に係る画像形成装置である印刷装置及びこの印刷装置を有する印刷システムの構成は、上述した第１の実施の形態における図１及び図２と同一であるから、これら両図を必要に応じて流用して説明する。
【００３４】
また、本実施の形態に係る画像形成装置である印刷装置による見開きモードでの出力結果は、図４と同一であるから、同図を流用して説明する。
【００３５】
図５は、本実施の形態に係る印刷装置の動作の流れを示すフローチャートであり、同図において、まず、ステップＳ５００で見開き（地図）モードであるか否かを判断する。そして、見開きモード信号がイネーブルの場合は、即ち、見開きモードであると判断された場合は、ステップＳ５０８へ進んで図４（ａ）に示すような原稿（地図）を元に、図４（ｂ）に示すように、印刷用紙１枚毎に画像データを表裏で反転させて画像形成を行った後、ステップＳ５０１へ進む。また、前記ステップＳ５００において、見開きモード信号がディスイネーブルの場合は、即ち、見開きモードでないと判断された場合は、ステップＳ５０１へ進む。ステップＳ５０１では、通常のページ順に画像形成を行う。
【００３６】
次に、ステップ５０２で印刷用紙の裏面に画像形成をするか否かを判断する。そして、印刷用紙の裏面に画像形成をすると判断された場合は、ステップＳ５０９へ進んで内部反転装置で印刷用紙を反転させる。即ち、印刷用紙は、排紙偏向板２４８により排紙縦パス２４６を通過して両面反転部２４５へ搬送される。そして、印刷用紙が排紙縦パス２４６を通過して規定時間後、両面反転部２４５の入口ローラが逆回転し、印刷用紙は反転して中間トレイ前搬送部２４７へ搬送され、更に中間トレイ２４４上へ搬送される。このとき、中間トレイ２４４上の印刷用紙は上側が裏面となっている。最終の印刷用紙が中間トレイ２４４に搬送されると中間トレイ２４４からレジストローラ２３７、転写ベルト２３８を介して印刷用紙を再び感光ドラム２１７，２２１，２２５，２２９に供給する。このとき印刷用紙の表面が上側になっている。前記ステップＳ５０９の処理が終了後は、前記ステップＳ５００へ戻る。
【００３７】
一方、前記ステップＳ５０２において、印刷用紙の裏面に画像を形成しないと判断された場合は、ステップＳ５０３へ進んで印刷用紙を装置外部へ排紙する。そして、装置外部には不図示の外部反転装置が接続されており、排紙された印刷用紙は、この外部反転装置へ入る。次に、ステップＳ５０４へ進んで見開き（地図）モードで画像形成された印刷用紙か否かを判断する。そして、見開き（地図）モードで画像形成された印刷用紙であると判断された場合は、ステップＳ５０５へ進んで外部反転装置で印刷用紙を図４（ｃ）に示すように１枚毎に表裏反転させた後、ステップＳ５０６へ進む。
【００３８】
ステップＳ５０６では、印刷用紙の排紙枚数が所定値Ｎになったか否かを判断する。そして、印刷用紙の排紙枚数が所定値Ｎにならないと判断された場合は、前記ステップＳ５００へ戻り、また、印刷用紙の排紙枚数が所定値Ｎになったと判断された場合は、ステップＳ５０７へ進む。
【００３９】
一方、前記ステップＳ５０４において、見開き（地図）モードで画像形成された印刷用紙でないと判断された場合は、印刷用紙を表裏反転させることなく、そのままステップＳ５０６へ進む。同様にステップＳ５０６では、印刷用紙の排紙枚数が所定値Ｎになったか否かを判断する。そして、印刷用紙の排紙枚数が所定値Ｎにならないと判断された場合は、前記ステップＳ５００へ戻り、また、印刷用紙の排紙枚数が所定値Ｎになったと判断された場合は、ステップＳ５０７へ進む。ステップＳ５０７では、装置外部へ排紙された印刷用紙は、不図示の外部製本装置により、穴あけ、ステイプル、糊付け等で製本された後、本処理動作を終了する。
【００４０】
前記ステップＳ５０７において製本された後の見開きでは、図４（ｄ）に示すように、印刷用紙の表面と裏面または裏面と裏面が見開きで向き合う。即ち、見開きでは、同じ画像形成条件（印刷用紙の表と表、裏と裏）で画像形成したページが向き合うことで、見開きページ相互間での相対的ズレ量を抑制することができる。
【００４１】
（その他の実施の形態）
尚、上述した実施の形態における外部反転装置の機能を、内部反転装置でも行うことができるものである。
【００４２】
また、上述した実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出して実行することによっても、本発明が達成されることは言うまでもない。
【００４３】
この場合、記憶媒体から読み出されたプログラムコード自体が上述した実施の形態の機能を実現することになり、そのプログラムコードを記憶した記憶媒体は本発明を構成することになる。
【００４４】
また、プログラムコードを供給するための記憶媒体としては、例えば、ＲＡＭ、ＮＶ−ＲＡＭ、フロッピー（登録商標）ディスク、ハードディスク、光ディスク、光磁気ディスク、ＭＯ、ＣＤ−ＲＯＭ、ＣＤ−Ｒ、ＣＤ−ＲＷ、ＤＶＤ（ＤＶＤ−ＲＯＭ、ＤＶＤ−Ｒ、ＤＶＤ−ＲＷ等）、磁気テープ、不揮発性のメモリカード、他のＲＯＭ等の上記プログラムコードを記憶できるものであれば良く、或いはネットワークを介したダウンロード等を用いることができる。
【００４５】
また、コンピュータが読み出したプログラムコードを実行することにより、上述した実施の形態の機能が実現されるだけでなく、そのプログラムコードの指示に基づき、コンピュータ上で稼動しているＯＳ（オペレーティングシステム）等が実際の処理の一部または全部を行い、その処理によって上述した実施の形態の機能が実現される場合も含まれることは言うまでもない。
【００４６】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって上述した実施の形態の機能が実現される場合も含まれることは言うまでもない。
【００４７】
以上では、本発明の様々な例と実施形態を説明したが、当業者であれば、本発明の趣旨と範囲は本明細書内の特定の説明と図に限定されるものではなく、本願特許請求の範囲に全て述べられた様々な修正と変更に及ぶことが可能であることは言うまでもない。
【００４８】
本発明の実施態様の例を以下に列挙する。
【００４９】
［実施態様１］  画像情報に応じて記録用シートの面に画像を形成する画像形成手段と、前記記録用シートを反転させる反転手段とを具備し、前記反転手段により反転された前記記録用シートの裏面にも画像を形成することが可能な画像形成装置において、
前記画像情報を前記記録用シート１枚毎に、その表面と裏面とで入れ替える入れ替え手段を設けたことを特徴とする画像形成装置。
【００５０】
［実施態様２］  前記記録用シート１枚毎の表面と裏面とでの画像情報入れ替えに応じて前記反転手段により前記記録用シートを１枚毎に反転することを特徴とする実施態様１記載の画像形成装置。
【００５１】
［実施態様３］  画像情報に応じて記録用シートの面に画像を形成する画像形成手段と、表面に画像を形成した前記記録用シートを反転させる第１の反転手段とを具備し、前記第１の反転手段により反転された前記記録用シートの裏面にも画像を形成することが可能な画像形成装置において、
前記画像情報を前記記録用シート１枚毎に表面と裏面とで入れ替える入れ替え手段と、
両面に画像を形成した前記記録用シートを反転させる第２の反転手段と、
前記記録用シート１枚毎の表面と裏面とでの画像情報入れ替えに応じて前記第１または第２の反転手段により前記記録用シートを１枚毎に反転するように制御する制御手段とを設けたことを特徴とする画像形成装置。
【００５２】
［実施態様４］  感光体を帯電する帯電手段と、
画像情報に応じて前記感光体に潜像を形成する潜像形成手段と、
前記潜像をトナー像に現像する現像手段と、
前記記録用シートに前記トナー像を転写する転写手段と、
前記記録用シートに転写された前記トナー像を定着する定着手段とを設けたことを特徴とする実施態様１乃至３のいずれかに記載の画像形成装置。
【００５３】
［実施態様５］  前記余白領域にステイプルするステイプル手段を設けたことを特徴とする実施態様１乃至４のいずれかに記載の画像形成装置。
【００５４】
［実施態様６］  前記余白領域に穿孔する穿孔手段を設けたことを特徴とする実施態様１乃至４のいずれかに記載の画像形成装置。
【００５５】
［実施態様７］  前記余白領域に糊付けする糊付け手段を設けたことを特徴とする実施態様１乃至４のいずれかに記載の画像形成装置。
【００５６】
【発明の効果】
以上詳述したように、本発明によれば、記録用シートの表裏両面に形成する画像データを、記録用シート１枚毎に入れ替え、記録用シートの排出時に反転して、見開きでは、記録用シートの表面と表面とが、または、裏面と裏面とが向き合うように出力することができる。即ち、見開きでは、同じ画像形成条件で画像形成した記録用シートのページが向き合うことで、見開きページ相互間での画像の相対的ズレ量を抑制することが可能となる。
【図面の簡単な説明】
【図１】本発明の第１の実施の形態に係る画像形成装置である印刷装置を有する印刷システムの外観構成を示す図である。
【図２】本発明の第１の実施の形態に係る画像形成装置である印刷装置の内部構成を示す側断面図である。
【図３】本発明の第１の実施の形態に係る画像形成装置である印刷装置の動作の流れを示すフローチャートである。
【図４】本発明の第１の実施の形態に係る画像形成装置である印刷装置による見開きモードでの出力結果を示す図である。
【図５】本発明の第２の実施の形態に係る画像形成装置である印刷装置の動作の流れを示すフローチャートである。
【図６】従来の画像形成装置である印刷装置による見開きモードでの出力結果を示す図である。
【符号の説明】
１０１      ホスとコンピュータ
１０２      コントローラ（制御手段）
１０３      印刷装置（画像形成装置）
１０４      接続ケーブル
１０５      接続ケーブル
２０１      原稿台ガラス
２０２      原稿
２０３      照明ランプ
２０４      ミラー
２０５      ミラー
２０６      ミラー
２０７      光学系
２０８      ＣＣＤ（撮像素子）
２０９      モータ
２１０      第１ミラーユニット
２１１      第２ミラーユニット
２１２      画像処理回路部（画像形成手段）
２１３      ポリゴンミラー
２１４      ミラー
２１５      ミラー
２１６      ミラー
２１７      感光ドラム（感光体）
２１８      ミラー
２１９      ミラー
２２０      ミラー
２２１      感光ドラム２２１
２２２      ミラー
２２３      ミラー
２２４      ミラー
２２５      感光ドラム
２２６      ミラー
２２７      ミラー
２２８      ミラー
２２９      感光ドラム
２３０      現像器
２３１      現像器
２３２      現像器
２３３      現像器
２３４      印刷用紙カセット
２３５      印刷用紙カセット
２３６      手差しトレイ
２３７      レジストローラ
２３８      転写ベルト
２３９      搬送ベルト
２４０      定着器
２４１      排出トレイ
２４２      インターフェースケーブル
２４４      中間トレイ
２４５      両面反転部（反転手段）
２４６      排出縦パス
２４７      中間トレイ前搬送部
２４８      排出偏向板
【図１】
2004215188.tif 000003
【図２】
2004215188.tif 000004
【図３】
2004215188.tif 000005
【図４】
2004215188.tif 000006
【図５】
2004215188.tif 000007
【図６】
2004215188.tif 000008